(57)【要約】【課題】建設現場における資材等の揚重作業を効率的に管理する。【解決手段】揚重装置の利用予定日、利用予定時刻、利用業者、揚重資材、揚重先及び揚重量などを含んむ情報を端末２を通じて入力し、入力された前記情報を前記データベース４に登録し、データベース４の登録情報を参照しながら揚重装置の予約申し込みを受け付けるとともに、実際の揚重作業に際しては、データベース４の登録情報に基づき、利用予定日ごとに各担当者別のスケジュール表２０、２２、２４を作成して事前に配布し、揚重作業をスムーズに行う。【選択図】      図４
2004307132.tif 000002
【特許請求の範囲】
【請求項１】
建設現場に搬入される資材等を揚重するための揚重装置の利用予定日、利用予定時刻、利用業者、揚重資材、揚重先及び揚重量などを含んだ前記揚重装置の利用スケジュールに関する情報を入力するための情報入力手段と、
前記情報入力手段により入力された前記情報をデータベースに登録する情報登録手段と、
前記データベースに登録された前記情報に基づき、前記揚重装置の利用スケジュールに関する情報を前記利用予定日ごとに適宜集計する集計手段と、
前記集計手段の集計結果を出力する出力手段と、
を備えたことを特徴とする資材揚重管理システム。
【請求項２】
前記データベースに登録される前記情報に、前記揚重資材が搬入される搬入ゲートに関する情報が含まれることを特徴とする請求項１に記載の資材揚重管理システム。
【請求項３】
前記集計手段は、前記揚重装置の利用スケジュールに関する情報を前記搬入ゲート別に集計する手段を含むことを特徴とする請求項２に記載の資材揚重管理システム。
【請求項４】
前記集計手段は、前記揚重装置の利用スケジュールに関する情報を前記揚重装置別に集計する手段を含むことを特徴とする請求項１〜３のいずれか１項に記載の資材揚重管理システム。
【請求項５】
建設現場に搬入される資材等を揚重するための揚重装置の利用予定日、利用予定時刻、利用業者、揚重資材、揚重先及び揚重量などを含んだ前記揚重装置の利用スケジュールに関する情報の入力を受け付け、
入力された前記情報を前記データベースに登録し、
前記データベースに登録された前記情報に基づき、前記揚重装置の利用スケジュールに関する情報を前記利用予定日ごとに適宜集計し、
その集計結果を出力することを特徴とする資材揚重管理方法。
【発明の詳細な説明】
【０００１】
【発明の属する技術分野】
本発明は、建設現場に搬入される資材等を揚重するための揚重装置の利用スケジュールを管理するための資材揚重管理システムおよび資材揚重管理方法に関する。
【０００２】
【従来の技術】
高層ビル等の建物の建設現場には、毎日、様々な多くの資材が搬入されている。ここで搬入される資材としては、建物の内装などに使用される仕上材や、各種衛生設備、建具など様々のものがある。搬入された資材は、建設現場に設置された揚重エレベータなどの揚重装置を利用して、建設中の建物内部の各階へ揚重される。
【０００３】
【発明が解決しようとする課題】
しかしながら、従来は、各施工業者が各自が各々の都合によりそれぞれ個別に資材の揚重作業を行っていたため、資材の搬入時間がまちまちであったり、また搬入した資材が何かわからなかったり、揚重先がわからなかったりするなどのトラブルが発生することがあった。このため、揚重装置に空き時間が生じたり、またスケジュールが過密になるなどの不具合が生じた。また、揚重作業が長期化して夜間に行わなければならない場合もあった。さらに、資材の搬入が遅れたり、エレベータが故障等により使用不能になったときには、調整がきわめて困難であった。
一方、資材を搬入する業者は多数の業者にわたるため、各業者間での事前のスケジュール調整はきわめて煩雑で難しかった。
【０００４】
本発明は、このような事情に鑑みてなされたものであって、その目的は、建設現場における資材等の揚重作業を効率的に管理することができる資材揚重管理システムおよび資材揚重管理方法を提供することにある。
【０００５】
【課題を解決するための手段】
このような目的を達成するために本発明に係る資材揚重管理システムにあっては、建設現場に搬入される資材等を揚重するための揚重装置の利用予定日、利用予定時刻、利用業者、揚重資材、揚重先及び揚重量などを含んだ前記揚重装置の利用に関する情報を入力するための情報入力手段と、前記情報入力手段により入力された前記情報をデータベースに登録する情報登録手段と、前記データベースに登録された前記情報に基づき、前記揚重装置の利用スケジュールに関する情報を前記利用予定日ごとに適宜集計する集計手段と、前記集計手段の集計結果を出力する出力手段とを備えた構成とする。
【０００６】
このようなシステムにあっては、揚重装置の利用予定日、利用予定時刻などといった揚重装置の利用スケジュールに関する情報をデータベースに事前に登録しておくため、揚重装置の利用スケジュールを一元管理することができ、これにより揚重装置の予約管理がスムーズに行えるなど、作業の効率化が図れる。また、データベースを利用して、揚重装置の利用スケジュールに関する情報を利用予定日ごとに適宜集計して出力できるため、スケジュールを確認しながらスムーズに揚重作業を進めることができる。
【０００７】
また、このような資材揚重管理システムにあっては、前記データベースに登録される前記情報に、前記揚重資材が搬入される搬入ゲートに関する情報が含まれていても良い。この場合、前記集計手段は、前記揚重装置の利用スケジュールに関する情報を前記搬入ゲート別に集計する手段を含んでいても良い。
【０００８】
また、かかる資材揚重管理システムにあっては、前記集計手段は、前記揚重装置の利用スケジュールに関する情報を前記揚重装置別に集計する手段を含んでいても良い。
【０００９】
また、本発明に係る資材揚重管理方法にあっては、建設現場に搬入される資材等を揚重するための揚重装置の利用予定日、利用予定時刻、利用業者、揚重資材、揚重先及び揚重量などを含んだ前記揚重装置の利用スケジュールに関する情報の入力を受け付け、入力された前記情報を前記データベースに登録し、前記データベースに登録された前記情報に基づき、前記揚重装置の利用スケジュールに関する情報を前記利用予定日ごとに適宜集計し、その集計結果を出力する構成とする。
【００１０】
【発明の実施の形態】
以下に本発明に係る資材揚重管理システムおよび資材揚重管理方法の実施の形態について、添付図面を用いて説明する。図１〜図８は、本発明に係る資材揚重管理システムおよび資材揚重管理方法の一実施形態を説明するものである。
【００１１】
本実施形態に係る資材揚重管理システムは、コンピュータシステムにより構築され、建設現場に搬入される資材等を揚重するための揚重装置の利用スケジュールを管理するものである。具体的には、コンピュータシステムに建設現場に設置された揚重装置の利用に関する情報を蓄積するデータベースを構築して、このデータベースをもとに揚重装置の予約管理やスケジュール管理などを行う。なお、ここでいう揚重装置とは、揚重エレベータや人荷エレベータなどの各種エレベータ装置をはじめ、貨物リフトやフォークリフト等のリフト装置などが対象となる。もちろん、これらの他に、建設現場に設置されて資材等の揚重に用いられるあやゆる装置が全て本発明の揚重装置としての対象となり得る。
【００１２】
図１は、本実施形態に係る資材揚重管理システム１のシステム構成を示したものである。同図に示すように、この資材揚重管理システム１は、データ入力部１０と、データ登録部１２と、データ集計部１４と、データ出力部１６と、データベース４とを含んでいる。データ入力部１０は、揚重装置の利用スケジュールに関する情報（以下、利用スケジュール情報という）の入力を受け付ける。ここで、利用スケジュール情報には、建設現場に搬入される資材等を揚重するための揚重装置の利用予定日、利用予定時刻、利用業者、揚重資材、揚重先及び揚重量などが含まれる。データ登録部１２は、データ入力部１０を通じて入力された利用スケジュール情報をデータとしてデータベース４に登録する。データ集計部１４は、データベース４に登録された利用スケジュール情報を適宜集計する。データ出力部１６は、データ集計部１４による集計結果を画面やプリンタ等の印刷手段を通じて出力する。
【００１３】
なお、データ入力部１０は本発明の情報入力手段に相当し、データ登録部１２は本発明の情報登録手段に相当し、データ集計部１４は本発明の集計手段に相当し、データ出力部１６は本発明の出力手段に相当する。
以下にデータベース４に登録される利用スケジュール情報について詳しく説明する。
【００１４】
（１）揚重装置
「揚重装置」としては、建設現場において呼ばれている名称、例えば、『１号機』や『２号機』、『６号機』をはじめ、『Ｎｏ．１ＥＶ』や『Ｎｏ．２ＥＶ』などとして登録される。この他に、予め揚重装置ごとに固有のＩＤを割り付けて当該ＩＤにより特定したりすることも可能である。
【００１５】
（２）利用予定日
「利用予定日」としては、その揚重装置の利用を予定している『年』、『月』および『日』が登録される。具体的には、例えば、『２００３年３月２５日』などとしてデータベース４に登録される。
【００１６】
（３）利用予定時刻
「利用予定時刻」としては、利用開始時刻および利用終了時刻が登録される。また、利用終了時刻に代えて利用時間などが登録されても良い。具体的には、例えば、利用開始時刻として『１０：００から』や、利用終了時刻として『１１：００まで』、また利用時間としては『１０：００から１時間』などとしてデータベースに登録される。これら利用開始時刻や利用終了時刻、利用時間については、例えば１５分刻みなど、所定の時間刻みに設定できても良い。
【００１７】
（４）利用業者
「利用業者」として、実際の利用業者名、例えば、『○○工業』や『××建設』、『△△組』、『□□設備』などといった具体的な利用業者名が登録される他に、利用業者を特定可能な情報、例えば、利用業者別に予め割り付けられた固有のＩＤなどにより登録されても良い。また、利用業者が複数あるときには、全ての利用業者が登録されても良く、また代表利用業者など、一部の利用業者が登録しても良い。
【００１８】
（５）揚重資材
「揚重資材」としては、その資材の名称、例えば、『ガラス材』や『床仕上材』、『壁仕上材』、『天井仕上材』、『衛生設備材』、『空調装置』、『空調設備材』、『建具材』など、具体的な資材名称の他に、その他の揚重対象として、『高所作業車』や『清掃作業者』、『運搬作業車』、『作業員』などの資材以外の物が含まれていても良い。これら「揚重資材」については、その揚重資材等が特定可能な情報、例えば、各資材等の種類ごとに予め割り付けた固有のＩＤなどがデータベース４に登録されていても良い。
【００１９】
（６）揚重先
「揚重先」としては、揚重される資材等が運び込まれる場所が登録される。例えば、建物の場合には、建物の階数、つまり、『６階』や『８階』、『７〜１０階』などが具体的に登録される。この他に、階数以外に別の名称等で特定できれば、その名称等が登録される。なお、これら「揚重先」については、その揚重先が特定可能な情報、例えば、揚重先ごとに予め割り付けた固有のＩＤなどがデータベースに登録されていても良い。
【００２０】
（７）揚重量
「揚重量」としては、揚重される資材等の重量、具体的には、『５ｔ』や『１０ｔ』など、重量がそのまま登録されても良い。この他に、概略的に、例えば、『１ｔ以下』や『１〜５ｔ』、『１０ｔ以上』などと登録されても良い。また、例えば、『１ｔクラス』や『５ｔクラス』、あるいは『軽量』などと、重量の程度により登録されても良い。この他に各資材の個数等が登録されても良い。
【００２１】
これらの他に、本実施形態では、▲１▼揚重装置に関する情報や、▲２▼揚重担当者名、▲３▼荷捌き業者名、▲４▼運送業者名、▲５▼搬入車両に関する情報、▲６▼資材の搬入予定場所に関する情報、▲８▼搬入ゲートを利用スケジュール情報としてデータベース４に登録することとしている。ここで、▲１▼揚重装置に関する情報としては、その揚重装置の最大積載重量や最大積載サイズなどがある。また、▲５▼搬入車両に関する情報としては、その車両の最大積載重量や車種、台数などがある。
【００２２】
次に、本実施形態のシステム１を用いた予約から利用までの実際の手順について詳しく説明する。図２は、予約申し込みを行うときの処理の流れを示したものである。
【００２３】
建設現場に搬入した資材等の揚重のために揚重装置を利用する場合、まず、利用希望者は、予約申し込みをする必要がある。この予約申し込みでは、利用業者名や利用希望日、利用希望時刻、揚重対象物（資材など）、揚重先などといった事項を記載した申し込み書を提出する。図２の端末２のオペレータは、この申し込み書を参照し、データベース４にアクセスして、申し込み者から希望のあった日付けの利用スケジュール情報をデータベース４から取得して閲覧する。
【００２４】
図３は、このチェックの際にオペレータが参照するスケジュール管理画面５の一実施形態を示したものである。このスケジュール管理画面５では、申し込み者から希望のあった日付における利用スケジュール情報が揚重装置ごとに時間帯別に表示される。この画面５を見てオペレータは、各揚重装置の空き状況を簡単にチェックすることができる。
【００２５】
チェックの結果、申し込み者が希望する時間帯に空きがあった場合には、予約申し込みを受け付ける。そして、オペレータは、申し込み書に記載された事項を端末２を通じてデータとして入力し、その入力したデータをデータベース４に登録する。申し込みが受け付けられたことは、別途、申し込み者に通知される。    一方、チェックの結果、申し込み者が希望する時間帯に空きがなかった場合には、適宜申し込み者との間で時間の変更が可能かどうか相談をして、変更が可能であれば、変更後の時間帯をデータベース４に登録する。このようにして揚重装置の利用申し込みを次々に登録していく。
【００２６】
図４は、実際に揚重装置が利用される日の前日までに行われる処理について説明したものである。オペレータは、端末２を通じてデータベース４にアクセスして、データベース４から翌日の揚重装置の利用スケジュールに関する情報を取得する。ここで取得された情報は、端末２を通じて、各搬入ゲートに配置されるガードマンなどの警備担当者用と、揚重現場で揚重作業を指揮する作業指揮者用と、揚重装置を運転する運転者用の表をそれぞれ個別作成する。そして、作成した各表２０、２２、２４をそれぞれ担当者に事前に配布する。
【００２７】
図５〜図７は、ここで実際に配布される利用スケジュール表２０、２２、２４の一例を各々示したものである。図５は、警備担当者に配布される「搬入車輌予定表」２０の一例を示し、図６は、作業指揮者に配布される「揚重予定表」２２の一例を示し、図７は、運転者に配布される「揚重スケジュール表」２４の一例を示している。
【００２８】
警備担当者に配布される「搬入車輌予定表」２０には、図５に示すように、各警備担当者が担当する搬入ゲート（ここでは、「Ａ−１０」ゲート）のその日１日の搬入予定車輌が掲載されている。ここでは、搬入予定時刻順に、「揚重担当者」、「発注業者名」、「荷捌業者名」、「運送業者名」、「資材名」、「車種」、「台数」および「行き先場所」とが掲載されている。
【００２９】
また、作業指揮者（現場監督者）に配布される「揚重予定表」２２には、図６に示すように、その作業指揮者が担当する揚重装置のその日１日の利用予定が掲載されている。ここでは、作業指揮者が２つの揚重装置（「ＮＯ２ＥＶ」および「ＮＯ３リフト」）を担当していることから、これら２つの揚重装置別にそれぞれ利用予定時刻に沿って、「揚重担当者」、「発注業者名」、「荷捌業者名」、「運送業者名」、「資材名」、「ユニット」、「車輌内容」、「車種」、「台数」、「階数」（揚重先）、「荷降場」および「ＪＶ担当」などが掲載されている。
【００３０】
また、運転者に配布される「揚重スケジュール表」２４には、図７に示すように、その運転者が担当する揚重装置のその日１日の揚重スケジュールが掲載される。ここでは、運転者が２つの揚重装置（「ＮＯ２ＥＶ」および「ＮＯ３リフト」）を担当していることから、これら２つの揚重装置別にそれぞれ利用予定時刻に沿って、「業者名」、「資材名」、「揚重階」（揚重先）などが掲載されている。また、この「揚重スケジュール表」２４には、各資材ごとに利用スケジュールが横方向に時刻に沿って区切られて見やすく表示されている。
【００３１】
警備担当者は、配布された「搬入車輌予定表」２０を参照しながら、資材等を搬入する搬入車輌を逐次チェックして作業をスムーズに行うことができる。また、その日１日の搬入作業が予定通り行われているのかを簡単に確認することができる。
【００３２】
作業指揮者は、配布された「揚重予定表」２２を参照しながら、揚重する資材等を逐次チェックして作業をスムーズに行うことができる。また、その日１日の揚重作業が予定通り行われているかを簡単に確認することができる。
【００３３】
運転者は、配布された「揚重スケジュール表」２４を参照しながら、揚重する資材等を逐次チェックして作業をスムーズに行うことができる。また、その日１日の揚重作業が予定通り行われているかを簡単に確認することができる。
【００３４】
以上のように、揚重装置の利用スケジュールに関する情報を予めデータベース４に登録することで、一元管理することができ、揚重装置の利用予約などをスムーズに行うことができる。また、揚重作業当日にあっては、資材搬入車輌の搬入スケジュールや揚重スケジュールを各々担当者別に事前に出力して配布しておくため、各作業をスムーズに行うことができ、予定通り作業が行われているか簡単に確認することができる。
【００３５】
なお、このシステムにおいては、「搬入車輌予定表」２０や「揚重予定表」２２、「揚重スケジュール表」２４などを電子メールやＦＡＸなどの各種通信手段により自動的に各担当者に配信するようにしても良い。
【００３６】
また、建設現場に資材等を搬入する搬入業者などに対しては、データベース４に登録された情報に基づき、事前に「入場許可証」を発行しておくこともできる。図８は、このときに発行される入場許可証２６の一実施形態を示したものである。このような「入場許可証」２６をデータベース４の登録情報に基づき自動的に発行することができれば、手間を大幅に削減することができる。
【００３７】
また、この他に、データベース４に登録された情報は、インターネットなどをはじめとする各種通信ネットワークを通じて閲覧できるようにしたり、揚重装置の利用申し込みなども通信ネットワークを通じて行えるようにしても良い。
【００３８】
【発明の効果】
本発明によれば、揚重装置の利用スケジュールをデータベースにより一元管理することで、揚重装置の予約管理がスムーズに行えるなど、作業の効率化が図れるとともに、利用予定日ごとに集計して出力するため、スケジュールを確認しながら円滑に揚重作業を進めることができる。
【図面の簡単な説明】
【図１】本発明に係る資材揚重管理システムの一実施形態を示したシステム構成図である。
【図２】揚重装置の予約申し込みを行うときの処理の流れを説明する図である。
【図３】揚重装置のスケジュール管理画面の一例を示した図である。
【図４】各種スケジュール表を出力するときの処理の流れを説明する図である。
【図５】警備担当者に配布される１日の資材搬入スケジュール表の一例を示した図である。
【図６】作業指揮者に配布される１日の揚重スケジュール表の一例を示した図である。
【図７】運転オペレータに配布される１日の揚重スケジュール表の一例を示した図である。
【図８】搬入業者に配布される入場許可証の一例を示した図である。
【符号の説明】
１  資材揚重管理システム
２  端末
４  データベース
５  スケジュール管理画面
１０  データ入力部
１２  データ登録部
１４  データ集計部
１６  データ出力部
２０  搬入車輌予定表
２２  揚重予定表
２４  揚重スケジュール表
２６  入場許可証
【図１】
2004307132.tif 000003
【図２】
2004307132.tif 000004
【図３】
2004307132.tif 000005
【図４】
2004307132.tif 000006
【図５】
2004307132.tif 000007
【図６】
2004307132.tif 000008
【図７】
2004307132.tif 000009
【図８】
2004307132.tif 000010